(57)【特許請求の範囲】
【請求項１】
案内窓５ａに連通する嵌合凹所９を有するケース本体５と、このケース本体５の裏側に固定され、かつ、垂直長孔１３を有する蓋体８と、前記垂直長孔１３を貫通する施錠片用駆動軸５６の内端部を支持し、かつ、前記案内窓５ａから突出する摘み部２０を操作すると前記嵌合凹所９内をスライドするようにケース本体５と蓋体８との間に内装された摘み操作部材６と、この摘み操作部材６に支持板４０を介して一体的に設けられ、かつ、摘み用先端部４９が前記摘み部２０から突出するように後端部４８が軸支されたロック解除操作片４２と、摘み操作部材６の初期位置に於いて、このロック解除操作片４２の後端部４８に突起状の当り部３５が当接するように前記摘み操作部材６に軸支され、かつ、他方の突起状係合部３６が固定部材としての蓋体の係止部に係止されているロック片３０とから成る錠前の不正解除防止操作具。
【請求項２】
請求項１に於いて、摘み操作部材６の初期位置に於いて、ロック片３０は、蓋体８の側壁に形成した係合溝１６の切欠端面１６ａに常時係合するように摘み操作部材６の短軸３１に設けた付勢バネ３２に付勢されていることを特徴とする錠前の不正解除防止操作具。
【請求項３】
請求項１に於いて、摘み操作部材６はスライド板部２１に連設し、かつ、ロック片３０の係合部３６が食み出る一部切欠２３が形成された突壁状の周側壁部２２と、前記ロック片３０を収納する収容凹所２６とを有する長いケース枠状片に形成され、前記収容凹所２６を閉鎖するように長板状の支持板４０が固定されていることを特徴とする錠前の不正解除防止操作具。
【請求項４】
案内窓５ａに連通する嵌合凹所９を有するケース本体５と、このケース本体５の裏側に固定され、かつ、垂直長孔１３を有する蓋体８と、前記垂直長孔１３を貫通する施錠片用駆動軸５６の内端部を支持板４０を介して支持し、かつ、前記案内窓５ａから突出する摘み部２０を操作すると前記嵌合凹所９内をスライドするようにケース本体１と蓋体８との間に内装された摘み操作部材６と、この摘み操作部材６に前記支持板４０を介して設けられ、かつ、摘み用先端部４９が前記摘み部２０から突出するように後端部４８が軸支されたロック解除操作片４２と、摘み操作部材６の初期位置に於いて、このロック解除操作片４２の後端部４８に突起状の当り部３５が当接するように前記摘み操作部材６に軸支され、かつ、他方の突起状係合部３６が固定部材としてのケース本体の係止部に係止されているロック片３０とから成る錠前の不正解除防止操作具。
【請求項５】
案内窓に連通する嵌合凹所を有するケース本体と、前記嵌合凹所をカバーするようにケース本体の裏側に固定された蓋体と、前記嵌合凹所に上下動自在に内装され、かつ、前記案内窓から突出する摘み部を有する摘み操作部材と、この摘み操作部材に一体的に設けられた支持板を介して該摘み操作部材に支持された施錠片用駆動軸と、摘み操作部材に回動可能に軸支され、かつ、バネで復帰方向に付勢されたロック解除操作片とから成り、前記摘み操作部材６Ａの初期位置に於いて、前記ロック解除操作片は、摘み操作部材の摘み部から突出する突起状先端部に片手の指を引っ掛けるようにして操作されると、摘み操作部材に設けられたロック片が自由な状態になるように回転し、このままの状態を保持しながらさらに片手の他の指で前記摘み部を摘んで摘み操作部材をスライドさせると、前記ロック片はロック解消方向へと回転するように軸支されていることを特徴とする錠前の不正解除防止操作具。
【請求項６】
案内窓に連通する嵌合凹所を有するケース本体と、前記嵌合凹所をカバーするようにケース本体の裏側に固定された蓋体と、前記嵌合凹所に上下動自在に内装され、かつ、前記案内窓から突出する摘み部を有する摘み操作部材と、この摘み操作部材に一体的に設けられた支持板を介して該摘み操作部材に支持された施錠片用駆動軸と、摘み操作部材に回動可能に軸支され、かつ、バネで復帰方向に付勢されたロック解除操作片とから成り、前記摘み操作部材６Ａの初期位置に於いて、前記ロック解除操作片は、摘み操作部材の摘み部から突出する突起状先端部が片手の指でプッシュするように押圧されると摘み操作部材に設けられたロック片が自由な状態になるように回転し、このままの状態を保持しながらさらに片手の他の指で前記摘み部を摘んで摘み操作部材をスライドさせると前記ロック片はロック解消方向へと回転するように軸支されていることを特徴とする錠前の不正解除防止操作具。
【請求項７】
請求項６に於いて、ロック解除操作片は、摘み操作部材の摘み部に形成された嵌合口に遊嵌合する操作片と、この操作片に係合するように前記摘み部内に軸支されたストッパー機能を有するブロック状のロック片用解除部とから成ることを特徴とする錠前の不正解除防止操作具。
【発明の詳細な説明】
【０００１】
【発明の属する技術分野】
本発明は、錠前の不正解除防止操作具に関し、特に戸（開閉戸、引戸）に取り付けられる錠前の不正解除防止操作具に適する。
【０００２】
【従来の技術】
従来、例えば内側引戸に取り付けられる錠前の操作具は、ケース状の取り付け枠と、この取り付け枠に上下方向にスライド自在に装着され、かつ、取り付け枠の垂直案内長孔から突出する摘み部を有する摘み操作板とから成り、前記摘み操作板には内側引戸に設けられた引戸錠の施錠片（例えば鎌片）を施錠又は解錠方向へ作動させるための駆動軸が設けられていた。
【０００３】
上記構成に於いて、内外の引戸が鎌片を介して施錠されている場合、泥棒が引戸錠の鎌片を後退させようとする時には、例えば重なり合った内側と外側の框の接合面に硬いバーを差込み、無理やりに隙間を作る。そして、先端部が鉤状の針金部材（泥棒の道具の一つ）を隙間から差込み、引戸錠を構成する摘み操作板の摘みに引っ掛けようとする。このような場合、針金部材の先端部が摘み部に引っ掛かると、泥棒は摘み部を介して上手に摘み操作板を上方に持ち上げる。そうすると、鎌片が摘み操作板のスライド、連動部材の移動などを介して後退する。
【０００４】
したがって、摘み操作板を単純に持ち上げる又は押し下げるという一つのアクション操作だけで鎌片が解錠する引戸錠は、戸のガラスを局部的に破らなくても、不正解除される確立が高いという問題点がある。
【０００５】
【発明が解決しようとする課題】
本発明の第１の目的は、泥棒が外から戸の隙間、針金部材などを利用して摘み操作部材を操作し、錠前の鎌片を解錠状態にすることを確実に防止することを目的とする。特に、本発明は、戸が施錠状態の時に於いて、泥棒が錠前の鎌片を室外から解錠方向へ後退させようとする時に、例えば重なり合った内側と外側の框の接合面に硬いバーを差し込んで無理やりに隙間を作り、次にその隙間に針金部材などを差込んで、摘み操作部材を操作しながら戸に装備された錠前の鎌片を解錠方向へと回転させる行為を確実に防止することができることを目的としている。
【０００６】
第２の目的は、各部材を合理的に組み合わせ、第１の目的を達成することである。第３の目的は、第２実施例又は第３実施例に於いて、片手の指二本（例えば左手の親指と人差し指）で摘み操作部材の突起状先端部を摘むようにするだけで、ロック解除操作片が作動（回動或いはスライド）し、そのまま突起状先端部を摘んだ状態で摘み操作部材をスライドさせることができることである。
【０００７】
【課題を解決するための手段】
本発明の錠前の不正解除防止操作具は、案内窓５ａに連通する嵌合凹所９を有するケース本体１と、このケース本体１の裏側に固定され、かつ、垂直長孔１３を有する蓋体８と、前記垂直長孔１３を貫通する施錠片用駆動軸５６の内端部を支持し、かつ、前記案内窓５ａから突出する摘み部２０を操作すると前記嵌合凹所９内をスライドするようにケース本体１と蓋体８との間に内装された摘み操作部材６と、この摘み操作部材６に支持板４０を介して一体的に設けられ、かつ、摘み用先端部４９が前記摘み部２０から突出するように後端部４８が軸支されたロック解除操作片４２と、摘み操作部材６の初期位置に於いて、このロック解除操作片４２の後端部４８に突起状の当り部３５が当接するように前記摘み操作部材６に軸支され、かつ、他方の突起状係合部３６が固定部材としての蓋体又はケース本体の係止部に係止されているロック片３０とから成る。
【０００８】
また本発明の錠前の不正解除防止操作具は、案内窓に連通する嵌合凹所を有するケース本体と、前記嵌合凹所をカバーするようにケース本体の裏側に固定された蓋体と、前記嵌合凹所に上下動自在に内装され、かつ、前記案内窓から突出する摘み部を有する摘み操作部材と、この摘み操作部材に一体的に設けられた支持板を介して該摘み操作部材に支持された施錠片用駆動軸と、摘み操作部材に回動可能に軸支され、かつ、バネで復帰方向に付勢されたロック解除操作片とから成り、前記摘み操作部材６Ａの初期位置に於いて、前記ロック解除操作片は、摘み操作部材の摘み部から突出する突起状先端部に片手の指を引っ掛けるようにして操作されると、摘み操作部材に設けられたロック片が自由な状態になるように回転し、このままの状態を保持しながらさらに片手の他の指で前記摘み部を摘んで摘み操作部材をスライドさせると、前記ロック片はロック解消方向へと回転するように軸支されていることを特徴とする。
【０００９】
上記構成に於いて、ロック解除操作片４２Ａの先端部は、親指の先端部の外観が呈するように指先状に形成され、摘み操作部材６Ａの摘み部２０Ａに形成した上下いずれかの摘み切欠部６１から多少突出していることを特徴とする（段落００４８参照）。
【００１０】
さらに、本発明の錠前の不正解除防止操作具は、案内窓に連通する嵌合凹所を有するケース本体と、前記嵌合凹所をカバーするようにケース本体の裏側に固定された蓋体と、前記嵌合凹所に上下動自在に内装され、かつ、前記案内窓から突出する摘み部を有する摘み操作部材と、この摘み操作部材に一体的に設けられた支持板を介して該摘み操作部材に支持された施錠片用駆動軸と、摘み操作部材に回動可能に軸支され、かつ、バネで復帰方向に付勢されたロック解除操作片とから成り、前記摘み操作部材６Ａの初期位置に於いて、前記ロック解除操作片は、摘み操作部材の摘み部から突出する突起状先端部が片手の指でプッシュするように押圧されると摘み操作部材に設けられたロック片が自由な状態になるように回転し、このままの状態を保持しながらさらに片手の他の指で前記摘み部を摘んで摘み操作部材をスライドさせると前記ロック片はロック解消方向へと回転するように軸支されていることを特徴とする。
【００１１】
上記構成に於いて、ロック解除操作片は、摘み操作部材の摘み部に形成された嵌合口に遊嵌合する操作片と、この操作片に係合するように前記摘み部内に軸支されたストッパー機能を有するブロック状のロック片用解除部とから成ることを特徴とする。
【００１２】
【発明の実施の形態】
図１乃至図１３は、本発明の一実施例を示す各説明図である。１は錠前の不正解除防止操作具（以下、単に「操作具」という。）である。操作具１は、例えば図２で示すように内側引戸２に固定的に取り付けられる。錠前の一例としての引戸錠の構成は特に図示しないが、一般に内側引戸２の框内に設けられ、仮想線で示したように長板状の連動部材３に軸支された施錠片（鎌片）４を有し、施錠片４は相手方の外側引戸に設けた受け金具に掛合する。本実施例では引戸錠そのものは発明の特定要件ではないので、詳細な説明は割愛する。
【００１３】
操作具１の構成部材を大まかに区分けすると、任意形状のケース本体５と、このケース本体５内にスライド自在に内装され、かつ、ケース本体５の案内窓５ａから突出する突起状摘み部２０を有する摘み操作部材（通称、「サムターン」）６と、この摘み操作部材６に他の部材を介して間接的に設けられ、かつ、該摘み操作部材６を初期位置の所でロックするロック機構部材７と、前記摘み操作部材６及びロック機構部材７を覆うようにケース本体５の裏側に固定された蓋体８とから構成されている。
【００１４】
以下、順番に各構成部材を説明する。図１は操作具１の斜視図である。図２は図１の２−２線拡大概略断面図である。図１及び図２を参照にしてケース本体５を説明する。
【００１５】
ケース本体５は、合成樹脂材で長枠状に形成されている。ここではケース本体５の付随的な形状についての説明は省略する。５ａはケース本体５の中央部に縦方向に形成された長方形状の案内窓、５ｂはケース本体５の上下端部にそれぞれ形成された固着具用取り付け孔、５ｃはケース本体５の上下端部の裏面にそれぞれ形成されたメネジ小孔である。
【００１６】
なお、ケース本体５の両端部の外壁面は傾斜状に形成されているが、上端部から下端部に至るまでその外壁面５ｄは垂直であっても良い。
【００１７】
９はケース本体５の裏側に形成された所要の嵌合凹所である。この嵌合凹所９は、少なくとも摘み操作部材６及びロック機構部材７を収納する大きさを有している。また、嵌合凹所９の一側内面には比較的小さな切欠溝９ａ（図５の左側を参照）が形成されている。さらに、嵌合凹所９の中央部は前記案内窓５ａと連通している。
【００１８】
１０はケース本体５の裏側の上端部から下端部にかけてトラック形状に浅く形成された嵌合溝で、この嵌合溝１０には長板状の蓋体８が嵌り合う。なお、嵌合溝１０は取り付け孔５ｂやメネジ小孔５ｃが形成された部分を除き、前記嵌合凹所９と連通している。
【００１９】
また、本実施例ではケース本体５の裏側に形成した嵌合溝１０の中に任意形状の蓋体８を嵌め込んでいるが、設計如何によっては蓋体８をケース枠状に形成し、ケース本体５に外嵌合させても良い。
【００２０】
ここで図３を参照に蓋体８について説明する。図３は蓋体８を嵌合板部１１の内壁面側から見た斜視図である。嵌合板部１１の上下端部には、前述した取り付け孔やメネジ小孔にそれぞれ符合する複数個の貫通孔１２が形成されている。１３は嵌合板部１１の中央部に形成された垂直長孔で、この垂直長孔１３には後述する水平棒状の駆動軸５６が貫通状態に突出する。１４，１５は嵌合板部１１の左右端部をそれぞれ直角に折り曲げて形成された対向側壁である。ここでは、図３を基準にすると、符号１４が左対向側壁、１５が右対向側壁である。
【００２１】
右対向側壁１５の下端部寄りの部位には切欠状の係合溝１６（図５では左側に見える。）が形成されている。左右の対向側壁１４，１５はケース本体５の嵌合凹所９に嵌合すると、嵌合凹所９の左右の側壁面と面接触状態に対向する。この時、蓋体８の係合溝１６とケース本体５の切欠溝９ａとは連通状態に一致する（図５参照）。なお、蓋体８の係合溝１６の方がケース本体５の切欠溝９ａよりも小さい。
【００２２】
図４及び図５は主要部の概略断面説明図である。前述したように、ケース本体５の嵌合凹所９には摘み操作部材６及びロック機構部材７が組み込まれ、しかも、これらの組み合わせ部材６，７を覆うように蓋体８がケース本体５の裏側に固着具を介して固定される。特に図５は蓋体８をケース本体５の嵌合凹所９に嵌合した状態に於いて、内部構造を示すために、蓋体の嵌合板部１１を省略し、かつ、左右の対向側壁１４，１５を断面で示してある。以下、図６ないし図１１も参照にして本発明の主要部について説明する。
【００２３】
まず摘み操作部材６から説明する。摘み操作部材６はケース本体５の嵌合凹所９内にスライド自在に組み込まれると、図４で示すように摘み部２０の先端部は案内窓５ａから突出する。摘み部２０は、本実施例では嵌合凹所９の内壁面と摺動するスライド板部２１の中央部から中空角柱状に突出している。摘み部２０は縦断面である図１０及び背面図である図１１で示すように、長いケース枠状片に形成されている。
【００２４】
すなわち、２２はスライド板部２１に連設する不完全な突壁状の周側壁部で、この周側壁部２２の下端部は、図１１で示すように一部切欠２３と成っている。２４は摘み部２０は裏面の上下端部にそれぞれ段差状に形成された取り付け凹所で、これらの取り付け凹所２４，２４には、さらに取り付け小孔２５，２５がそれぞれ形成されている。なお、前記取り付け小孔２５，２５は設計如何によっては、係合小突起にしても良い。
【００２５】
２６は下方の取り付け凹所２４と摘み部２０側の開口との間に形成されたロック片用の浅い収容凹所である。この浅い収容凹所２６は、前記中空摘み部２０の開口２０ａと連通している。２７はスライド板部２１の内壁面の切欠２３側に形成された小軸穴である。
【００２６】
次に図５及び図６を参照にしてロック機構部材７について説明する。ここで、「ロック機構部材」とは、少なくとも摘み操作部材６の移動をロックするロック片３０及び該ロック片のロック状態を解除するロック解除操作片４２の両方を意味する。
【００２７】
まず摘み操作部材６の上方向への移動をロックするロック片３０から説明する。ここで図６に示すロック片３０説明する前に図２に戻る。図２で示すように、摘み操作部材６の摘み部２０がケース本体５の案内窓５ａの下部に位置（ここでは「初期位置」とする。）する時は、施錠片４は突出し、図示しない外側引戸の受け金具に掛合している。
【００２８】
したがって、従来の引戸錠に於いては、一般に摘み部２０を摘んで摘み操作部材６を上方に押し上げると、施錠片４は引戸錠の連動部材３を介して内側引戸２へと後退する。そこで、本実施例では、摘み操作部材６をワンタッチ（一つのアクション）で押し上げることができないように、ロック片３０等を摘み操作部材６の裏側の浅い収容凹所２６に組み込んでいる。
【００２９】
そこで、図６はロック片３０、短軸３１、ロック片用付勢バネ３２をそれぞれ示す。ロック片３０はアングル状に形成され、中央部には短軸３１用の軸孔３４が形成されている。この軸孔３４を基準にすると、上方に指向して延びている部分がロック解除操作片４２の後端部のストッパー５０と衝突する親指状の当り部３５である。一方、当り部３５に連設して横方向に伸び、かつ、固定部材であるケース本体５の切欠溝９ａの切欠端面又は蓋体８の係合溝１６の端面１６ａに係止されるのが人差し指状の係合部３６である。
【００３０】
前記係合部３６は、短軸３１に巻装されたロック片用付勢バネ３２の一端部を受けるバネ端受け部３７を有している。短軸３１は摘み操作部材６の小軸孔２７と支持板４０の小軸孔４６を介して固定的に横設される。
【００３１】
また、付勢バネ３２の他端部は図５で示すように摘み操作部材６の周側壁部２２の内面に圧接する。図５に於いて、ロック片３０は短軸３１を中心に付勢バネ３２のバネ力に抗して反時計方向に回転可能であるが、初期位置ではその回転はロック解除操作片４２のストッパー５０に阻止されている。
【００３２】
次に図７，図８を参照にロック解除操作片用支持板４０、ロック解除操作片用支軸４１、ロック解除操作片４２について説明する。金属製のやや長い支持板４０は摘み操作部材６の収容凹所２６に一部の切欠２３（図１１を参照）の除いて閉鎖するように摘み操作部材６の裏側に嵌め込まれる。
【００３３】
したがって、本実施例では所定寸法の長板状に形成されている。４３は上下端部にそれぞれ形成された貫通小孔で、これらの貫通小孔４３，４３は、摘み操作部材６の取り付け小孔２５，２５或いは係合小突起にそれぞれ符合する。４４はやや長孔状の中心孔で、この中心孔４４には棒状の駆動軸５６の内端部が遊嵌合する。
【００３４】
しかして、支持板４０の中央部４０ａは括れており、この括れ部分４０ａから左右一対の軸受け部４５，４５が突出している。また、軸受け部４５，４５の下方の括れ部分４０ａの近くには前述した短軸３１の他端部を支持する小軸孔４６が形成されている。
【００３５】
一本の指で押圧されるロック解除操作片４２は、支持板４０に軸受け部４５，４５、支軸４１を介して枢支されている。このロック解除操作片４２は、左右の軸受け部４５，４５内に回転自在に位置するブロック状の後端部４８と、この後端部４８から板状に延びる摘み用先端部４９と、この摘み用先端部４９に対して角度方向（たとえば略９０度方向）に後端部４８から延びる突片状のストッパー５０とを有する。
【００３６】
前記後端部４８には支軸４１用の軸孔５１が形成されている。また後端部４８は切欠を有する中空となっている。符合５２は図４で示すように支軸４１に巻装されたロック解除操作片４２用のバネで、このバネ５２の一端部は摘み操作部材６に、一方、他端部はロック解除操作片４２の後端部４８の内壁面に圧接している。図４に於いて、ロック解除操作片４２はバネ５２のバネ力により常時時計方向に（摘み用先端部４９が水平状態になるように）付勢されている。
【００３７】
最後に図１２を参照してその他の部材について説明する。５５は支持板４０の外壁面と接合し、かつ、駆動軸５６を有する垂直板５７を所定位置に閉じ込める捕捉板である。この捕捉板５５は支持板４０と略同一の大きさであり、上下端部には支持板４０の貫通小孔４３並びに摘み操作部材６の取り付け小孔２５と一致する固着具用の孔５８，５８が形成されている。また上下端部より折り曲げ部を介してやや外側にオフセットする中央部には前記駆動軸５６が貫通する円形孔５９が形成されている。
【００３８】
前記垂直板５７は、図４で示すように支持板４０の外壁面と捕捉板５５の内壁面との間に生じた間隙内に多少上下動可能に捕捉されている。
上記構成に於いて、摘み操作部材６の初期位置に関して図４及び図５を参照に説明する。前述したように、「初期位置」では摘み操作部材６の摘み部２０がケース本体５の案内窓５ａの下部に位置している。この場合施錠片４は突出し、外側引戸の受け金具に掛合している。
【００３９】
そこで、今仮に泥棒が引戸錠の鎌片４を後退させようとし、内側と外側の框の接合面に薄板状の硬いバーを差込み、内外の引戸の間に無理やりに隙間を作り、かつ、鉤状の針金部材を該隙間から差込み、摘み部２０に引っ掛け、本実施例では摘み操作部材６を上方に持ち上げようとしたとする。
【００４０】
しかして、摘み操作部材６にかかる上方方向の力により、ロック片３０の係合部３６が固定部材である蓋体８の係合溝１６の切欠端面に押され、その結果、ロック片３０が反時計方向に回転しようとしても、ロック片３０は摘み操作部材６と一緒に移動するように該摘み操作部材６と支持板４０の間に設けられ、かつ、ロック片３０の当り部３５がロック解除操作片４２のストッパー５０に当たっているので、これが障害となり、そのままでは該ロック片３０は回転することができない。
【００４１】
図１３はロック片３０が回転した場合に説明図である。この場合ロック片３０に対する障害を解消させるために、まずロック解除操作片４２の摘み用先端部４９を、例えば左手の一指し指で矢印Ａ方向へ押し下げる。フラット状先端部４９を押し下げると、ロック解除操作片４２は支軸４１を中心にバネ５２のバネ力に抗して反時計方向に回転する。そうすると、ロック解除操作片４２の後端部４８は浮き上がった状態になるので、ストッパー５０が邪魔にならなくなり、ロック片３０は反時計方向に回転可能な状態となる。
【００４２】
そこで、摘み用先端部４９を矢印Ａ方向へ押し続けたまま（一つのアクション操作を続けたまま）、摘み操作部材６の摘み部２０の下面に左手の親指を押し当てて該摘み操作部材６をそのまま矢印Ｂ方向へ持ち上げる（二つ目のアクション操作）。
【００４３】
そうすると、摘み操作部材６がケース本体５の嵌合凹所９内をスライド上昇するのに追従し、かつ、ロック片３０の係合部３６は蓋体８の係合溝１６の切欠端面などに押されるので、ロック片３０は短軸３１を中心に付勢バネ３２のバネ力に抗して反時計方向に回転する。その結果、鎌片４は連動部材の移動などを介して後退する。
【００４４】
【実施例】
実施例に於いて、摘み操作部材６の摘み部２０は、中空角柱状であるが、形態は特に問わない。例えば中空円柱でも良い。また、ロック片３０の係合部３６は、固定部材である蓋体８の係止部としての係合溝１６の切欠端面に係合するが、蓋体８が対向側壁１５を有しない場合には、ケース本体５の係止部としての切欠溝９ａの切欠端面に直接係止される。要はロック片３０の係合部３６は、固定部材５，８の係止部に係合すれば良い。
【００４５】
次に、この欄では第２実施例及び第３実施例について説明する。なお、これらの実施例の説明にあたって、第１実施例と同一又は同様の部分には、同一又は同様の符号を付し、重複する説明を省略する。
【００４６】
図１４乃至図１９に示す第２実施例に於いて、第１実施例と主に異なる点は、ロック解除操作片４２Ａと摘み操作部材６Ａの形状である。また、金属製の蓋体８Ａが合成樹脂製のケース本体５Ａに外嵌合している点である。
【００４７】
第１実施例で述べたようにロック解除操作片４２Ａと摘み操作部材６Ａの形状は、発明の実体を変更しない限り、任意に設計変更可能である。
【００４８】
すなわち、第１実施例では、一本の指で押圧されるロック解除操作片４２の先端部４９は、摘み操作部材６の角筒状突出先端部２０からフラット状に水平方向へと食み出ているのに対し、第２実施例の一本の指で押圧されるロック解除操作片４２Ａの先端部４９Ａは、例えば親指の先端部の外観が呈するように指先状に形成され、摘み操作部材６Ａの摘み部２０Ａに形成した摘み切欠部６１から上方方向に多少突出している。摘み切欠部６１は、突出先端部２０Ａの上壁部又は突出先端部２０Ａの下壁部のいずれでも良いが、この第２実施例では角筒状の突出先端部２０Ａの上壁部に形成されている。なお、前記摘み切欠部６１を前記突出先端部２０Ａの下壁部に形成した図面は特に図示しない。
【００４９】
また第１実施例の蓋体８は、図５で示すようにケース本体５の裏側の嵌合凹所９に内嵌合しているに対し、第２実施例のケース枠状に形成された蓋体８Ａは、ケース本体５Ａの裏側に形成した嵌合凹所９Ａや小さな切欠部９ａ（蓋体８Ａの任意形状の係合溝１６Ａと符合する部分）を有する壁部に外嵌合している。なお、この場合ロック片３０の係合部３６を内側のケース本体の切欠部９ａの端面に係止させることも出来るが、ケース本体５Ａは合成樹脂材で形成されているので、その切欠部９ａを蓋体８Ａの係合溝１６Ａよりもやや大きめにし、ロック片３０の係合部３６を金属製の蓋体８Ａの切欠端面１６ａに係止させている。
【００５０】
また前記ケース本体５の外壁面５ｄと、摘み操作部材６Ａの突出先端部２０Ａの外壁面２０ｄは略面一である。そして、ロック解除操作片４２Ａの先端部４９Ａの外壁面もケース本体５の外壁面５ｄから食み出ないように工夫されている。その他ロック解除操作片４２Ａの後端部４８Ａの形状、ストッバー５０Ａの形状、ロック解除操作片４２Ａ用のバネ５２Ａの形状やそのバネ端部の当り部分の相違、支持板４０Ａの中心孔４４Ａの大きさなど付随的な相違があるが、これらは本発明の実体（内容）に影響を与えるものではない。
【００５１】
上記構成に於いては、ロック片３０に対する障害を解消させるために、まずロック解除操作片４２Ａの親指状先端部４９Ａに、例えば左手の人差し指で掛けて押圧するようにする。そうすると、ロック解除操作片４２Ａは支軸を中心にバネ５２Ａのバネ力に抗して回転する。
【００５２】
その結果、ロック解除操作片４２Ａの後端部４８Ａは浮き上がった状態になるので、ストッパー５０Ａが邪魔にならなくなり、ロック片３０の係合部３６は蓋体８Ａの切欠端面１６ａに摺接して反時計方向に回転し始める。この点は、第１実施例と作用は同じである。
【００５３】
そこで、鉤状先端部４９Ａに左手の指を引掛けるようにして（一つのアクション操作を続けたまま）、摘み操作部材６Ａの摘み部２０Ａの下面に左手の親指を押し当てて該摘み操作部材６Ａをそのまま持ち上げる（二つ目のアクション操作）。
【００５４】
したがって、この点も第１実施例と作用は同様である。しかし、どちらかと言えば、鉤状先端部４９Ａに１本の指先を引っ掛けたままの状態で摘み部２０Ａの下面に親指を押し当てて該摘み操作部材６Ａをそのまま持ち上げる方が、操作性が良い。
【００５５】
次に図２０乃至図２５に示す第３実施例に於いて、第１実施例と主に異なる点は、摘み操作部材６Ｂの形状は、その基本的形態は変わらないが、摘み部２０Ｂの形状が異なっている。すなわち、摘み部２０Ｂの上壁に矩形状の嵌合口６４が形成されている反面、摘み部２０Ｂの前壁にはロック解除操作片４２Ｂの先端部用開口部が形成されていない。
【００５６】
そこで、ロック解除操作片４２Ｂの構成に工夫を加えている。すなわち、第３実施例のロック解除操作片４２Ｂは、摘み操作部材６Ｂの前記嵌合口６４に遊嵌合する操作片６６と、この操作片６６に係合するように摘み操作部材６Ｂの摘み部２０Ｂ内に支軸４１を介して軸支されたストッパー機能を有するブロック状のロック片用解除部６５とから成る。
【００５７】
しかして、前記操作片６６は、摘み操作部材６Ｂの摘み部２０Ｂの上壁或いは前記嵌合口６４から上方に突出する偏平状の頭部６６ａと、この頭部６６ａに段差状に連設する首部６６ｂと、この首部６６ｂを介して下方に連設し、かつ、内壁面が湾曲状に形成された係合壁部６６ｃとから成り、前記係合壁部６６ｃの中央部には、解除部６５の湾曲状外壁面の係合突起６７が係合する被係合部（小係合孔、小係合溝など）６８が形成されている。
【００５８】
一方、前記ブロック状解除部６５の上壁には、支軸４１に巻装されたバネ５２Ｂの一部が係合するバネ用切欠部６９が形成されているものの、後端部が開放している点、バネ５２Ｂを内装している点、下壁にストッパー５０Ｂを有する点などは第１実施例と同様である。
【００５９】
その他金属製蓋体８Ｂが合成樹脂製ケース本体５Ｂに外嵌合している点、前記ケース本体５Ｂの外壁面５ｄと、摘み操作部材６Ｂの突出先端部２０Ｂの外壁面２０ｄとは略面一である点が相違する。
【００６０】
ここで第２実施例の説明と重複するが、第３実施例のケース枠状に形成された蓋体８Ｂは、図２３で示すようにケース本体５Ｂの裏側に形成した嵌合凹所９Ｂや小さな切欠部９ａ（蓋体８Ｂの任意形状の係合溝１６Ｂと符合する部分）を有する壁部に外嵌合している。
【００６１】
なお、第３実施例も第２実施例と同様にケース本体５Ｂは合成樹脂材で形成されているので、ケース本体５Ｂの切欠部９ａを蓋体８Ｂの係合溝１６Ｂよりもやや大きめにし、ロック片３０の係合部３６を金属製蓋体８Ｂの切欠端面１６ａに係止させている。
【００６２】
上記構成に於いては、ロック片３０に対する障害を解消させるために、まずロック解除操作片４２Ｂの駆動片に相当する操作片６６の頭部６６ａを、例えば左手の人差し指で押圧する。
【００６３】
そうすると、ロック解除操作片４２Ｂの解除部６５は支軸４１を中心にバネ５２Ｂのバネ力に抗して回転する。その結果、ロック解除操作片４２Ｂの後端部に相当するロック片用解除部６５は浮き上がった状態になるので、ストッパー５０Ｂが邪魔にならなくなり、ロック片３０の係合部３６は蓋体８Ｂの切欠端面１６ａに摺接して反時計方向に回転し始める。この点は、第１実施例の作用は同じである。
【００６４】
そこで、操作片６６の頭部６６ａを左手の人差し指でプッシュしたまま（一つのアクション操作を続けたまま）、摘み操作部材６Ｂの摘み部２０Ｂの下面に左手の親指を押し当てて該摘み操作部材６Ｂをそのまま持ち上げる（二つ目のアクション操作）。
【００６５】
したがって、この点も第１実施例の作用と略同様である。しかし、どちらかと言えば、操作片４２Ｂを１本の指で押圧したままの状態で摘み部２０Ｂの下面に親指を押し当てて該摘み操作部材６Ｂをそのまま持ち上げる方が、操作性が良い。
【００６６】
【発明の効果】
以上の説明から明らかなように、本発明にあっては、次に列挙するような作用・効果がある。
（１）摘み操作部材６を動かすためには、まず、ロック解除操作片４２のロック状態を解消させ、次いでロック解除操作片４２の解錠状態を維持しながら摘み操作部材６を移動させる必要がある。すなわち、本発明では、ロック解除操作片４２の摘み用先端部を操作して該ロック解除操作片４２を回転させ、その後端部がロック片３０の突起状当り部３５の障害に成らないように第１のアクション操作をしながら、次いで摘み操作部材６の摘み部２０を摘んですばやく該摘み操作部材６をスライドさせる第２のアクション操作を同時にする必要があるので、泥棒が外から戸の隙間、針金部材などを利用して摘み操作部材を操作しても、摘み操作部材はそう簡単には移動しない。したがって、錠前の鎌片を解錠状態にすることを確実に防止することができる。
（２）各部材を合理的に組み合わせ、前記（１）の効果を達成することができる。
（３）第２実施例又は第３実施例に於いて、片手の指二本（例えば左手の親指と人差し指）で摘み操作部材の突起状先端部を摘むようにするだけで、ロック解除操作片が作動（回動或いはスライド）し、そのまま突起状先端部を摘んだ状態で摘み操作部材をスライドさせることができる。したがって、非常に操作性が良い。
【図面の簡単な説明】
図１乃至図１３は本発明の第１実施例を示す各概略説明図。図１４乃至図１９は本発明の第２実施例を示す各概略説明図。図２０乃至図２５は本発明の第３実施例を示す各概略説明図。
【図１】第１実施例の全体の斜視図。
【図２】図１の２−２線拡大概略断面図。
【図３】蓋体の内壁面側から見た斜視図。
【図４】主要部の拡大概略縦断面説明図。
【図５】蓋体側から見た主要部の拡大概略断面説明図。
【図６】要部（ロック片など）の分解斜視図。
【図７】要部（摘み操作部材、ロック解除部材など）の分解斜視図。
【図８】要部（ロック解除部材、支持板など）の説明図。
【図９】要部（ロック解除部材の動き）の説明図。
【図１０】図７の１０−１０線断面図（摘み操作部材の断面）。
【図１１】摘み操作部材の背面図。
【図１２】他の部材の分解斜視図。
【図１３】ロックを解消させる場合の説明図。
【図１４】第２実施例の全体の斜視図。
【図１５】主要部の概略縦断面説明図。
【図１６】要部（ロック解除操作片、バネ）の説明図。
【図１７】蓋体側から見た主要部の概略断面説明図。
【図１８】要部（摘み操作部材、ロック解除部材など）の分解斜視図。
【図１９】要部（ロック解除部材、支持板など）の説明図。
【図２０】第３実施例の全体の斜視図。
【図２１】主要部の概略縦断面説明図。
【図２２】要部（ロック解除操作片の構成）の説明図。
【図２３】蓋体側から見た主要部の概略断面説明図。
【図２４】要部（摘み操作部材、ロック解除部材など）の分解斜視図。
【図２５】要部（摘み操作部材、ロック解除部材、支持板など）の説明図。
【符号の説明】
１…操作具、２…内側引戸、３…連動部材、４…施錠片、５，５Ａ，５Ｂ…ケース本体、５ａ…案内窓、５ｂ…固着具用取り付け孔、５ｃ…メネジ小孔、５ｄ…摘み部の外壁面、６，６Ａ，６Ｂ…摘み操作部材、７…ロック機構部材、８，８Ａ，８Ｂ…蓋体、９．０Ａ，９Ｂ…嵌合凹所、９ａ…切欠溝或いは切欠部、１０…嵌合溝、１１…嵌合板部、１２…貫通孔、１３…垂直長孔、１４…左対向側壁、１５…右対向側壁、１６…係合溝、１６ａ…切欠端面、２０，２０Ａ，２０Ｂ…摘み部、２１…スライド板部、２２…周壁部、２３…切欠、２４…取り付け凹所、２５…取り付け小孔、２６…収容凹所、２７…小軸穴、３０…ロック片、３１…短軸、３２…ロック片用付勢バネ、３４…軸孔、３５…当り部、３６…係合部、３７…バネ端受け部、４０，４０Ａ…ロック解除操作片用支持板、４０ａ…括れ部分、４１…ロック解除操作片用支軸、４２，４２Ａ，４２Ｂ…ロック解除操作片、４３…貫通小孔、４４，４４Ａ…中心孔、４５…軸受け部、４６…小軸孔、４８，４８Ａ…後端部、４９，４９Ａ…摘み用先端部、５０，５０Ａ，５０Ｂ…ストッパー、５１…軸孔、５２，５２Ａ，５２Ｂ…バネ、５５…捕捉板、５６…駆動軸、５７…垂直板、５８…孔、５９…円形孔、６１…摘み切欠部、６４…嵌合部、６５…ロック片用解除部、６６…操作片、６８…被係合部、６７…係合突起、６９…バネ用切欠部、Ａ，Ｂ…矢印。
【図１】
0004170021.tif 000002
【図２】
0004170021.tif 000003
【図３】
0004170021.tif 000004
【図４】
0004170021.tif 000005
【図５】
0004170021.tif 000006
【図６】
0004170021.tif 000007
【図７】
0004170021.tif 000008
【図８】
0004170021.tif 000009
【図９】
0004170021.tif 000010
【図１０】
0004170021.tif 000011
【図１１】
0004170021.tif 000012
【図１２】
0004170021.tif 000013
【図１３】
0004170021.tif 000014
【図１４】
0004170021.tif 000015
【図１５】
0004170021.tif 000016
【図１６】
0004170021.tif 000017
【図１７】
0004170021.tif 000018
【図１８】
0004170021.tif 000019
【図１９】
0004170021.tif 000020
【図２０】
0004170021.tif 000021
【図２１】
0004170021.tif 000022
【図２２】
0004170021.tif 000023
【図２３】
0004170021.tif 000024
【図２４】
0004170021.tif 000025
【図２５】
0004170021.tif 000026